【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
第一の筐体と第二の筐体とをヒンジ部を介して連結した折り畳み式携帯端末装置において、
前記第一の筐体に設けた前記ヒンジ部を前記第二の筐体とともに長手方向に開閉する第一回動軸と、
前記ヒンジ部に前記第一回動軸に直交するように設けられ、前記第二の筐体を短手方向に開閉する第二回動軸と、
前記第二の筐体の前記ヒンジ部と連結された箇所の近傍に設けた第一の磁石と、
前記ヒンジ部の前記第二回動軸の反対側に設けた第二の磁石と、
前記第一の筐体に、前記第二の筐体を閉じた状態で前記第一の磁石と対向する位置に設けた第一の磁気検出手段と、
前記第二の筐体に、前記第二の筐体を閉じた状態で前記第二の磁石と対向する位置に設けた第二の磁気検出手段と、
無線電話通信手段と、を有し、
前記第一の磁気検出手段は、前記第一の磁石の発生する磁気の検出に基づいて、前記第二の筐体の長手方向の開閉を検出し、
前記第二の磁気検出手段は、前記第二の磁石の発生する磁気の検出に基づいて、前記第二の筐体の短手方向の開閉を検出し、
着信時において、前記第二の筐体が長手方向に開いたことを前記第一の磁気検出手段が検出したときには前記無線電話通信手段の回線を接続し、前記第二の筐体が短手方向に開いたことを前記第二の磁気検出手段が検出したときには前記無線電話通信手段の回線を接続しない
ことを特徴とする折り畳み式携帯端末装置。
【請求項２】
第一の筐体と第二の筐体とをヒンジ部を介して連結した折り畳み式携帯端末装置において、
前記第一の筐体に設けた前記ヒンジ部を前記第二の筐体とともに長手方向に開閉する第一回動軸と、
前記ヒンジ部に前記第一回動軸に直交するように設けられ、前記第二の筐体を短手方向に開閉する第二回動軸と、
前記ヒンジ部の前記第二回動軸の反対側に設けた磁石と、
前記第一の筐体に、前記第二の筐体を閉じた状態で前記磁石と対向する位置に設けた第一の磁気検出手段と、
前記第二の筐体に、前記第二の筐体を閉じた状態で前記磁石と対向する位置に設けた第二の磁気検出手段と、
無線電話通信手段と、を有し、
前記第一の磁気検出手段は、前記磁石の発生する磁気の検出に基づいて、前記第二の筐体の長手方向の開閉を検出し、
前記第二の磁気検出手段は、前記磁石の発生する磁気の検出に基づいて、前記第二の筐体の短手方向の開閉を検出し、
着信時において、前記第二の筐体が長手方向に開いたことを前記第一の磁気検出手段が検出したときには前記無線電話通信手段の回線を接続し、前記第二の筐体が短手方向に開いたことを前記第二の磁気検出手段が検出したときには前記無線電話通信手段の回線を接続しない
ことを特徴とする折り畳み式携帯端末装置。
【請求項３】
第一の筐体と第二の筐体とをヒンジ部を介して連結した折り畳み式携帯端末装置において、
前記第一の筐体に設けた前記ヒンジ部を前記第二の筐体とともに長手方向に開閉する第一回動軸と、
前記ヒンジ部に前記第一回動軸に直交するように設けられ、前記第二の筐体を短手方向に開閉する第二回動軸と、
前記ヒンジ部の前記第二回動軸の反対側に設けた磁石と、
前記第一の筐体に、前記第二の筐体を閉じた状態で前記磁石と対向する位置に設けた第一の磁気検出手段と、
前記第二の筐体に、前記第二の筐体を閉じた状態で前記磁石と対向する位置に設けた第二の磁気検出手段と、
無線電話通信手段と、を有し、
前記第一の磁気検出手段は、前記磁石の発生する磁気の検出に基づいて、前記第二の筐体の長手方向の開閉を検出し、
前記第二の磁気検出手段は、前記磁石の発生する磁気の検出に基づいて、前記第二の筐体の短手方向の開閉を検出する
ことを特徴とする折り畳み式携帯端末装置。
【手続補正２】
【補正対象書類名】明細書
【補正対象項目名】００１１
【補正方法】変更
【補正の内容】
【００１１】
本発明の折り畳み式携帯端末装置は、第一の筐体と第二の筐体とをヒンジ部を介して連結した折り畳み式携帯端末装置において、前記第一の筐体に設けた前記ヒンジ部を前記第二の筐体とともに長手方向に開閉する第一回動軸と、前記ヒンジ部に前記第一回動軸に直交するように設けられ、前記第二の筐体を短手方向に開閉する第二回動軸と、前記第二の筐体の前記ヒンジ部と連結された箇所の近傍に設けた第一の磁石と、前記ヒンジ部の前記第二回動軸の反対側に設けた第二の磁石と、前記第一の筐体に、前記第二の筐体を閉じた状態で前記第一の磁石と対向する位置に設けた第一の磁気検出手段と、前記第二の筐体に、前記第二の筐体を閉じた状態で前記第二の磁石と対向する位置に設けた第二の磁気検出手段と、無線電話通信手段と、を有し、前記第一の磁気検出手段は、前記第一の磁石の発生する磁気の検出に基づいて、前記第二の筐体の長手方向の開閉を検出し、前記第二の磁気検出手段は、前記第二の磁石の発生する磁気の検出に基づいて、前記第二の筐体の短手方向の開閉を検出し、着信時において、前記第二の筐体が長手方向に開いたことを前記第一の磁気検出手段が検出したときには前記無線電話通信手段の回線を接続し、前記第二の筐体が短手方向に開いたことを前記第二の磁気検出手段が検出したときには前記無線電話通信手段の回線を接続しないことを特徴とする。
【手続補正３】
【補正対象書類名】明細書
【補正対象項目名】００１２
【補正方法】変更
【補正の内容】
【００１２】
本発明の折り畳み式携帯端末装置は、第一の筐体と第二の筐体とをヒンジ部を介して連結した折り畳み式携帯端末装置において、前記第一の筐体に設けた前記ヒンジ部を前記第二の筐体とともに長手方向に開閉する第一回動軸と、前記ヒンジ部に前記第一回動軸に直交するように設けられ、前記第二の筐体を短手方向に開閉する第二回動軸と、前記ヒンジ部の前記第二回動軸の反対側に設けた磁石と、前記第一の筐体に、前記第二の筐体を閉じた状態で前記磁石と対向する位置に設けた第一の磁気検出手段と、前記第二の筐体に、前記第二の筐体を閉じた状態で前記磁石と対向する位置に設けた第二の磁気検出手段と、無線電話通信手段と、を有し、前記第一の磁気検出手段は、前記磁石の発生する磁気の検出に基づいて、前記第二の筐体の長手方向の開閉を検出し、前記第二の磁気検出手段は、前記磁石の発生する磁気の検出に基づいて、前記第二の筐体の短手方向の開閉を検出し、着信時において、前記第二の筐体が長手方向に開いたことを前記第一の磁気検出手段が検出したときには前記無線電話通信手段の回線を接続し、前記第二の筐体が短手方向に開いたことを前記第二の磁気検出手段が検出したときには前記無線電話通信手段の回線を接続しないことを特徴とする。
【手続補正４】
【補正対象書類名】明細書
【補正対象項目名】００１３
【補正方法】変更
【補正の内容】
【００１３】
本発明の折り畳み式携帯端末装置は、第一の筐体と第二の筐体とをヒンジ部を介して連結した折り畳み式携帯端末装置において、前記第一の筐体に設けた前記ヒンジ部を前記第二の筐体とともに長手方向に開閉する第一回動軸と、前記ヒンジ部に前記第一回動軸に直交するように設けられ、前記第二の筐体を短手方向に開閉する第二回動軸と、前記ヒンジ部の前記第二回動軸の反対側に設けた磁石と、前記第一の筐体に、前記第二の筐体を閉じた状態で前記磁石と対向する位置に設けた第一の磁気検出手段と、前記第二の筐体に、前記第二の筐体を閉じた状態で前記磁石と対向する位置に設けた第二の磁気検出手段と、無線電話通信手段と、を有し、前記第一の磁気検出手段は、前記磁石の発生する磁気の検出に基づいて、前記第二の筐体の長手方向の開閉を検出し、前記第二の磁気検出手段は、前記磁石の発生する磁気の検出に基づいて、前記第二の筐体の短手方向の開閉を検出することを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】